(57)【特許請求の範囲】
【請求項１】
導入チューブの先端部に抜け防止のための拡張収縮可能なバルーンが装備され、ガイドワイヤーを挿通可能な挿入補助棒を使用して体内に挿入する、臓器の内部に流動食ないし栄養剤等を導入するためのカテーテルにおいて、
前記導入チューブには、カテーテル本体を体内に挿入する際に前記挿入補助棒が挿入されるメインルーメンと、前記バルーンへ流体を導通させるサブルーメンとが設けられ、
前記バルーンは、ゴム風船状で、前記導入チューブの先端部に、該先端部から先に伸びるように装着され、収縮した状態で、挿入した前記挿入補助棒の先端部を内部に受けて保持することが可能な受け部を外周部に有し、拡張したときに前記導入チューブの先端の導出口より先に位置して該導出口に連通する導出管路が形成され、
前記受け部は、内部に形成された、前記挿入補助棒の先端部を受ける嵌入部と、該嵌入部と前記受け部の外部とを通じるように形成された、前記ガイドワイヤーを通すためのガイドワイヤー通路とを有し、前記嵌入部が前記バルーンの外周部に沿って延びるように、前記バルーンの外周部に沿って設けられていることを特徴とするカテーテル。
【請求項２】
前記受け部は、前記バルーンに一体に形成されていることを特徴とする請求項１に記載のカテーテル。
【請求項３】
前記嵌入部は、前記挿入補助棒の先端部を受ける面のうち少なくとも前記挿入補助棒の先端面を受ける突き当りの部分を含む一部に補強部を有することを特徴とする請求項１または２に記載のカテーテル。
【請求項４】
請求項１に記載のカテーテルと挿入補助棒とを組み合わせたことを特徴とするカテーテルキット。
【発明の詳細な説明】
【技術分野】
【０００１】
本発明は、導入チューブの先端部に抜け防止のための拡張収縮可能なバルーンが装備され、ガイドワイヤーを挿通可能な挿入補助棒を使用して体内に挿入して、臓器の内部に流動食ないし栄養剤等を導入するカテーテルおよびカテーテルキットに関する。
【背景技術】
【０００２】
従来の技術としては、例えば特許文献１に示すようなものがある。  
すなわち、同文献には、カテーテル本体である導入チューブの先端部に、拡張するとカテーテル本体の先端より前にせり出す抜け防止のためのバルーンが取り付けられ、バルーンは、導入チューブに重なるよう折り返すことなく接着されている技術が開示されている。
【０００３】
しかしながら、このような従来の技術では、バルーンがカテーテル本体である導入チューブの先端部に折り返されてはいないけれども、全体としては重ねて設けてあり、全体として挿入する部分の肉厚が厚くなり、形態的に挿入時に先端部が導入チューブよりも太いものとなり、挿入しにくく、取り扱いが面倒であり、また、患者に苦痛を与えるおそれがあるという問題点があった。
【０００４】
そこで、本願の出願人は、特許文献２に示した発明によってこの問題点を解決した。
【０００５】
【特許文献１】特開２００４−４１３４９号公報
【特許文献２】特許第３８０６７２６号公報
【発明の開示】
【発明が解決しようとする課題】
【０００６】
しかしながら、特許文献２の技術では、体外から挿入したカテーテルを胃瘻や腸瘻等の瘻孔から臓器内に挿入する際に、臓器への刺激をできる限り少なくしながら導入チューブの先端部が瘻孔から外れずに臓器内に挿入することは必ずしも容易ではない。
このような課題に対しては、予めガイドワイヤーを臓器内まで挿入しておき、そのガイドワイヤーに沿って導入チューブを臓器内に確実に挿入する方法があるが、特許文献２のように導入チューブの挿入側の先端部に抜け防止のためのバルーンを装備し、臓器内への挿入時に導入チューブの挿入側の先端部を細くして患者への苦痛や負担を和らげることができるようにしたカテーテルでは、ガイドワイヤーを使用して容易に確実に挿入することができ、かつ、患者への苦痛や負担を和らげるようにしたカテーテルはなかった。
【０００７】
本発明は、このような導入チューブの先端部に抜け防止のためのバルーンを有するカテーテルの挿入操作を改善することを課題としてなされたもので、導入チューブの先端のバルーン部分が細くなり、挿入し易く操作性が容易であり、ガイドワイヤーに沿って容易かつ確実に臓器内への挿入が可能であり、患者への苦痛や負担を和らげることもできるようにしたカテーテルおよびカテーテルキットを提供することを目的としている。
【課題を解決するための手段】
【０００８】
かかる目的を達成するための本発明の要旨とするところは、次の各項の発明に存する。  ［１］  導入チューブ（２０）の先端部に抜け防止のための拡張収縮可能なバルーン（５０）が装備され、ガイドワイヤー（Ｗ）を挿通可能な挿入補助棒（６０）を使用して体内に挿入する、臓器の内部に流動食ないし栄養剤等を導入するためのカテーテル（１０）において、
前記導入チューブ（２０）には、カテーテル本体（１１）を体内に挿入する際に前記挿入補助棒（６０）が挿入されるメインルーメン（２１）と、前記バルーン（５０）へ流体を導通させるサブルーメン（２５）とが設けられ、
前記バルーン（５０）は、ゴム風船状で、前記導入チューブ（２０）の先端部（２７）に、該先端部（２７）から先に伸びるように装着され、収縮した状態で、挿入した前記挿入補助棒（６０）の先端部（６３）を内部に受けて保持することが可能な受け部（５００）を外周部（５２）に有し、拡張したときに前記導入チューブ（２０）の先端の導出口（２８）より先に位置して該導出口（２８）に連通する導出管路（５１）が形成され、
前記受け部（５００）は、内部に形成された、前記挿入補助棒（６０）の先端部（６３）を受ける嵌入部（５１０）と、該嵌入部（５１０）と前記受け部（５００）の外部とを通じるように形成された、前記ガイドワイヤー（Ｗ）を通すためのガイドワイヤー通路（５２０）とを有し、前記嵌入部（５１０）が前記バルーン（５０）の外周部（５２）に沿って延びるように、前記バルーン（５０）の外周部に沿って設けられていることを特徴とするカテーテル（１０）。
【０００９】
［２］  前記受け部（５００）は、前記バルーン（５０）に一体に形成されていることを特徴とする項［１］に記載のカテーテル（１０）。
【００１０】
［３］  前記嵌入部（５１０）は、前記挿入補助棒（６０）の先端部（６３）を受ける面のうち少なくとも前記挿入補助棒（６０）の先端面を受ける突き当りの部分を含む一部に補強部（５１２）を有することを特徴とする項［１］または［２］に記載のカテーテル（１０）。
【００１１】
［４］  項［１］に記載のカテーテル（１０）と挿入補助棒（６０）とを組み合わせたことを特徴とするカテーテルキット。
【００１２】
前記本発明は次のように作用する。  
カテーテル（１０）は、臓器の内部に流動食ないし栄養剤等の流体物を導入するためのものであり、胃瘻や腸瘻等の瘻孔から臓器内に導入チューブ（２０）を通して流動食ないし栄養剤等の流体物を注入する。
【００１３】
カテーテル（１０）を臓器内に挿入するときは、予めガイドワイヤー（Ｗ）の先端側を胃瘻や腸瘻等の瘻孔から臓器内に挿入しておく。一方、カテーテル（１０）は、導入チューブ（２０）の先端に装備されたゴム風船状のバルーン（５０）を収縮させておく。
バルーン（５０）は、導入チューブ（２０）にメインルーメン（２１）と併設されたサブルーメン（２５）からバルーン（５０）内の流体を抜くことにより、収縮して空気の抜けたゴム風船のような状態になる。
【００１４】
この状態で、ガイドワイヤー（Ｗ）に沿わせてカテーテル本体（１１）の導入チューブ（２０）および挿入補助棒（６０）を臓器内に挿入するが、挿入補助棒（６０）を導入チューブ（２０）に挿入し、挿入補助棒（６０）の先端部（６３）をバルーン（５０）の外周部（５２）の受け部（５００）に嵌合させておくとガイドワイヤー（Ｗ）を通すことが極めて容易になる。
【００１５】
導入チューブ（２０）に挿入補助棒（６０）を挿入するときは、その先端部（６３）を導入チューブ（２０）の先端部（２７）よりも先に出るようにする。この挿入補助棒（６０）の先端部（６３）をバルーン（５０）の外周部（５２）に沿って設けた受け部（５００）が受け止めるようにする。
【００１６】
続いて挿入補助棒（６０）を押し進めると、バルーン（５０）が導入チューブ（２０）の先端部（２７）より先に伸びるよう押し伸ばされて、先端の細い錐状の状態となる。挿入補助棒（６０）の先端部（６３）が先端部（２７）よりも先に出る度合いを大きくすると、それにともなってバルーン（５０）がより引っ張られて細くなる。
【００１７】
受け部（５００）には、その内部に形成された嵌入部（５１０）から外部に向かってガイドワイヤー（Ｗ）を通すガイドワイヤー通路（５２０）が形成されているので、ガイドワイヤー（Ｗ）の末端側をこのガイドワイヤー通路（５２０）から挿入することができる。挿入したガイドワイヤー（Ｗ）は、受け部（５００）内で挿入補助棒（６０）の先端部（６３）から挿入補助棒（６０）内に進入するので、ガイドワイヤー（Ｗ）を挿入補助棒（６０）の他端部側の把持頭部（６２）から出るようにすることができる。
【００１８】
このようにガイドワイヤー（Ｗ）を通し、かつ、前記のようにバルーン（５０）を導入チューブ（２０）の先端部（２７）より先に細く伸びた状態で、ガイドワイヤー（Ｗ）に沿って導入チューブ（２０）の先端部（２７）を胃瘻や腸瘻の瘻孔から臓器内に挿通すると円滑に優しく挿入することができ、装着が容易で患者に負担を掛けることがなく、医療事故の発生の心配もなくなる。
【００１９】
このようにしてカテーテル本体（１１）の先端部（２７）が胃瘻や腸瘻の瘻孔から臓器内に挿入された後に、バルーン（５０）を、胃瘻や腸瘻より大きく拡張させることにより、導入チューブ（２０）の抜け防止をする。
【００２０】
バルーン（５０）内への流体の入出は、カテーテル本体（１１）の導入チューブ（２０）の注入端部側に取り付けられたカテーテルヘッド（３０）に設けられた流体導通栓部（３１）を通して行なわれる。カテーテルヘッド（３０）には、流体導通栓部（３１）から連通路（３２）が形成されている。この連通路（３２）は、バルーン（５０）へ流体を導通させるサブルーメン（２５）の端部に連通している。流体導通栓部（３１）は、注射筒（Ｉ）を装着したときにのみサブルーメン（２５）を外部に導通させる。
【００２１】
バルーン（５０）内の流体を抜くときは、注射筒（Ｉ）内に流体を吸い込むようにしてバルーン（５０）をぺしゃんこに潰すことができる。
【００２２】
カテーテル本体（１１）を体内に挿入した装着状態において、ゴム風船状に膨らませたバルーン（５０）は、導入チューブ（２０）の先端の導出口（２８）より先に位置し、この導出口（２８）が連通する導出管路（５１）から流動食ないし栄養剤等を臓器内に導出する。膨らんだバルーン（５０）が臓器の内壁に接するようなことがあっても、導入チューブ（２０）が直接に臓器の内壁に接することはない。このバルーン（５０）は、柔らかいゴム風船状であるので臓器に対して良くない作用をすることがない。
【００２３】
カテーテル（１０）と挿入補助棒（６０）とを組み合わせたカテーテルキットは、そのまま医療に利用できるので便利であり、また操作の失敗がなく安全である。
【発明の効果】
【００２４】
本発明にかかるカテーテルおよびカテーテルキットによれば、予め臓器内に先端部を通したガイドワイヤーをバルーンに設けられた受け部のワイヤー通路を経由して挿入補助棒に通しておくことにより、臓器内への導入チューブの挿入を容易に確実に行うことができる。
【００２５】
また、カテーテル装着時に、バルーンは、導入チューブの先端部より先に伸びるように押し伸ばされ、先端の細い錐状に変形された状態で導入チューブの先端部を胃瘻や腸瘻の瘻孔から臓器内に挿通するので、円滑に優しく挿入することができ、装着がより容易で患者に負担を掛けることがなく、医療事故の発生原因の心配もなくなる。
【００２６】
カテーテルと挿入補助棒とを組み合わせたカテーテルキットとすれば、そのまま医療に利用できるので便利であり、また適切な用具であるので操作の失敗がなく安全である。
【発明を実施するための最良の形態】
【００２７】
以下、図面に基づき本発明の好適な一実施の形態を説明する。  
各図は本発明の一実施の形態を示している。  
図１は、カテーテル１０に注射筒Ｉをセットした状態を説明する図であり、図２は、カテーテル１０の構造を示す正面図である。また、図３は、挿入補助棒６０の構成を示す正面図であり、図４は、図３に示す挿入補助棒６０の平面図である。図に示すように、カテーテル１０は、導入チューブ２０の先端に抜け防止のための拡張収縮可能なバルーン５０が装備されて成り、臓器の内部に流動食ないし栄養剤を導入するためのものである。
【００２８】
カテーテル１０は、導入チューブ２０とバルーン５０とから成るカテーテル本体１１に、カテーテルヘッド３０を取り付けたものである。
【００２９】
カテーテルヘッド３０には、導入チューブ２０の入口側に漏斗状に拡径した注入口１５が形成されている。カテーテルヘッド３０は、注入口１５の下端部が導入チューブ２０の入口に連通するようにカテーテル本体１１に取付けられている。体内に注入する流動食ないし栄養剤等は、注入口１５からカテーテル本体１１を介して体内に注入される。また、カテーテルヘッド３０には、後述する注射筒Ｉを装着するための流体導通栓部３１と前記の注入口１５を塞ぐことができる蓋３３が設けられている。この蓋３３は、カテーテルヘッド３０から延びるベルト３４に設けられている。
【００３０】
カテーテル本体１１の導入チューブ２０には、メインルーメン２１と、バルーン５０へ流体を導通させるサブルーメン２５とが設けられている。メインルーメン２１は、一端が前記の導入チューブ２０の入口であり、もう一方の端部は導入チューブ２０の先端部２７の出口となっている。
【００３１】
また、サブルーメン２５は、流体を通すことが出来る程度の極めて細い管路として形成されており、導入チューブ２０の入口側から出口側までメインルーメン２１に並行して延びている。このサブルーメン２５は、導入チューブ２０の入口側ではカテーテルヘッド３０に形成された連通路３２に連通している。この連通路３２は、前記の流体導通栓部３１に連通している。
【００３２】
流体導通栓部３１は、注射筒Ｉをセットしたときにのみサブルーメン２５を外部に導通させるよう構成されている。例えば、流体導通栓部３１は、逆止弁を有していて、注射筒Ｉを差し込むと流体が流通するようになっている。
【００３３】
カテーテル本体１１のバルーン５０は、ゴム風船状であり、導入チューブ２０の先端部２７に、該先端部２７から先に伸びるように装着されている。すなわち、バルーン５０の弾性薄膜がメインルーメン２１の先端部２７を内外から挟むように接合され、流体が抜かれたとき、先端部２７を輪状に取り巻いたドーナツをつぶした様な形状をしている。バルーン５０は導入チューブ２０の先に全体として錐状に伸びるよう変形可能である。
【００３４】
図２から分かるように、バルーン５０は、拡張したとき、導入チューブ２０の先端の導出口２８より先に位置したドーナツ形となり、導出口２８が連通する導出管路５１が中央部に形成されるようになっている。バルーン５０は、柔軟性があり、弾性変形可能な材質から成り、例えばシリコーンゴムによって作られている。
【００３５】
図１、図２および図７に示すように、バルーン５０の収縮したときの外周部５２には、導入チューブ２０のメインルーメン２１から挿通される挿入補助棒６０の受け部５００が設けられている。
【００３６】
図３に示すように、挿入補助棒６０は、ロッド部６１の末端側を把持頭部６２に嵌入させて固定部６４で固定したものである。先端部６３は受け部５００に嵌まり込む形状となっている。把持頭部６２からロッド部６１の先端部６３までは、ガイドワイヤーＷを挿通可能なガイドワイヤー導入路６５が貫通している。これに対し、受け部５００は、挿入補助棒６０の先端部６３を受け止め、図５から分かるように角度的に変位しても外れない形状に形成されている。
【００３７】
この受け部５００は、図１および図２に示すように、バルーン５０を膨らませたときに導出管路５１に干渉しない位置に設けられている。受け部５００は、バルーン５０と一体に成形されているので、材質はバルーン５０と同じであり、柔軟性を有し、弾性変形が可能なものであればよい。本実施の形態では、材質は上記のようにシリコーンゴムである。
【００３８】
受け部５００は、挿入補助棒６０の先端部６３が嵌まり込む嵌入部５１０（内部）と、受け部５００の外部と該嵌入部５１０とを通じるように形成されたガイドワイヤー通路５２０とを有している。このガイドワイヤー通路５２０は、ガイドワイヤーＷを通すためのものである。これにより、ガイドワイヤーＷを受け部５００の外部からこのガイドワイヤー通路５２０に通し、さらに嵌入部５１０に嵌入した挿入補助棒６０の先端部６３からガイドワイヤー導入路６５に通すことができる。
【００３９】
嵌入部５１０は、横断面の形状が挿入補助棒６０の先端部６３の横断面の形状と相似形になっている。例えば、円形や楕円形であり、挿入補助棒６０の先端部６３の横断面が円形であれば、嵌入部５１０は、内径が挿入補助棒６０の先端部６３の外径よりも僅かに大きい円形である。なお、嵌入部５１０の横断面の形状は、挿入補助棒６０の先端部６３の横断面の形状と相似形でなくてもよく、例えば、先端部６３が嵌入可能な多角形でもよい。
【００４０】
嵌入部５１０の入口である嵌入口５１１からやや奥に入ったところから嵌入部５１０の突き当たりまでには、補強部５１２が設けられている。この補強部５１２は、嵌入部５１０の内壁面を硬化処理して形成しても良いし、嵌入部５１０よりも硬度の高い別部材を取り付けてもよい。
【００４１】
嵌入部５１０の突き当たりからは、受け部５００の終端で外部に抜ける前記のガイドワイヤー通路５２０が形成されている。このガイドワイヤー通路５２０は、ガイドワイヤーＷの径よりも大きい径の貫通孔である。これにより、ガイドワイヤーＷは、カテーテル１０の導入チューブ２０に挿入補助棒６０を挿入した状態で、挿入補助棒６０のガイドワイヤー導入路６５と挿入補助棒６０のガイドワイヤー導入路６５に挿通されたガイドワイヤー通路５２０を通って受け部５００の外部に延び出ることができる。
【００４２】
図５は、挿入補助棒６０の把持頭部６２を押して先端部６３を突き出すようにした状態を示している。この状態では、受け部５００の終端が引っ張られて尖端状になっている。また、バルーン５０も図１においてめくれ上がっている反対側も引かれているので全体として先の尖った錐状になる。この状態で受け部５００の外からガイドワイヤー通路５２０にガイドワイヤーＷを挿入すると、図６に示すようにガイドワイヤーＷは、受け部５００から挿入補助棒６０の先端部６３を通ってガイドワイヤー導入路６５内を延び、把持頭部６２から先端が延び出た状態にすることができる。
【００４３】
次に作用を説明する。  
カテーテル１０は、臓器の内部に流動食ないし栄養剤等を導入するためのものであり、胃瘻や腸瘻等の瘻孔から臓器内に導入チューブ２０を通して流動食ないし栄養剤等を注入する。カテーテル１０は、カテーテルヘッド３０よりも下の導入チューブ２０およびバルーン５０が臓器内に挿入される。臓器内にカテーテル１０を挿入するに先立って、カテーテル１０を挿入しようとする胃瘻や腸瘻にはガイドワイヤーＷが挿入されている。
【００４４】
導入チューブ２０の先端に装備されたゴム風船状のバルーン５０は、カテーテル１０の装着時には収縮され、導入チューブ２０の先端部２７より先に伸びるよう押し伸ばして、先端の細い錐状の状態で、ガイドワイヤーＷを通した状態にしてからカテーテル１０の先端部２７が瘻孔から臓器内に挿入される。挿入後にバルーン５０は胃瘻や腸瘻より大きく拡張されて、導入チューブ２０の抜け防止をする。
【００４５】
図１に示すように、カテーテル１０を患者に装着する前に、注射筒Ｉをカテーテルヘッド３０の流体導通栓部３１に差し込み、導入チューブ２０にメインルーメン２１と併設されたサブルーメン２５からバルーン５０内の流体を完全に抜く。これにより、バルーン５０が収縮して流体の抜けたゴム風船のような状態になる。バルーン５０は中心部に導出管路５１を形成するので、ドーナツをつぶしたような形状になる。バルーン５０内の流体を抜くときは、注射筒Ｉを用い流体を吸い込むようにしてバルーン５０がぺしゃんこにつぶれるまで流体を抜く。
【００４６】
バルーン５０内への流体の入出は、導入チューブ２０の注入端部側の流体導通栓部３１を通して行なわれる。バルーン５０へ流体を導通させるサブルーメン２５の端部に接続した流体導通栓部３１は、注射筒Ｉをセットして注射筒Ｉを差し込んだときのみサブルーメン２５を外部に導通させる。
【００４７】
バルーン５０から流体を抜いた状態で、導入チューブ２０のメインルーメン２１に挿入補助棒６０を挿通すると、挿入補助棒６０の先端部６３は、バルーン５０の外周部５２の受け部５００に嵌め込んで受け止められる。挿入補助棒６０を押し進めると、バルーン５０は、導入チューブ２０の先端部２７より先に伸びるよう押し伸ばされ、先端の細い錐状の状態に変形する。
【００４８】
この状態で予め臓器内に挿入してあるガイドワイヤーＷに沿って導入チューブ２０の先端部２７を胃瘻や腸瘻の瘻孔から臓器内に挿通すると円滑に優しく挿入することができ、装着が容易で患者に負担を掛けることがなく、医療事故の発生の心配もなくなる。
【００４９】
図５は、挿入補助棒６０を突き出した状態であり、バルーン５０の一部は挿入補助棒６０のロッド部６１の先端部６３に沿って、全体として先端のとがった形状となる。
【００５０】
前記のように、この状態にしたカテーテル１０を予め臓器内に挿入してあるガイドワイヤーＷに沿わせて通す。カテーテル１０に通す方のガイドワイヤーＷ端部は、体外に出ており図７に示すように、カテーテル１０の受け部５００の終端からガイドワイヤー通路５２０に通す。
【００５１】
受け部５００の内部では、挿入補助棒６０のロッド部６１の先端部６３が嵌入部５１０の突き当たりに当接しているので、ガイドワイヤー通路５２０は、ロッド部６１の先端部６３側で挿入補助棒６０のガイドワイヤー導入路６５と連通している。このため、ガイドワイヤー通路５２０を通したガイドワイヤーＷは、スムーズに挿入補助棒６０のガイドワイヤー導入路６５に通すことができる。
【００５２】
ガイドワイヤーＷの端部が挿入補助棒６０の把持頭部６２から延び出た状態が図６に示されている。この図６に示した状態にしてからガイドワイヤーＷに沿って導入チューブ２０の先端部２７を胃瘻や腸瘻の瘻孔から臓器内に挿通することにより、確実に、円滑に、かつ、優しくカテーテル本体１１を臓器内に挿入することができる。
【００５３】
図６の状態でカテーテル１０の導入チューブ２０を臓器内に挿入したら、挿入補助棒６０およびガイドワイヤーＷを抜き出し、図１に示すように、流体導通栓部３１に注射筒Ｉをセットして、バルーン５０内にサブルーメン２５から流体を注入し、バルーン５０を膨らませる。このようにして膨らんだバルーン５０は、図２に示すように中心部に導出管路５１を形成したドーナツ形状をしている。カテーテルヘッド３０の注入口１５には栄養管等を接続する。
【００５４】
カテーテル１０の装着状態において、ゴム風船状のバルーン５０は、導入チューブ２０の先端の導出口２８より先に位置し、この導出口２８が連通する導出管路５１から流動食ないし栄養剤等を臓器内に導出する。この状態では、受け部５００は、導出管路５１に干渉しない位置にあるので、流動食ないし栄養剤等の導出の妨げになることはない。臓器の内壁にバルーン５０が接するようなことがあっても、導入チューブ２０が直接接することはなく、バルーン５０が柔らかいゴム風船状であるので臓器に対して良くない作用をすることがない。
【００５５】
カテーテル１０を体内に挿入したままにしておくときは、カテーテルヘッド３０に設けられた蓋３３で注入口１５を塞いでおけばよい。これにより、導入チューブ２０のメインルーメン２１にほこり等が進入することを防ぐことができ、メインルーメン２１内を清潔に保っておくことができる。
【００５６】
カテーテル１０の導入チューブ２０を臓器内から抜く場合には、流体導通栓部３１に注射筒Ｉを装着してバルーン５０内の流体を抜いてから引き出せばよい。
【００５７】
カテーテル１０と挿入補助棒６０とを組み合わせたカテーテルキットは、そのまま医療に利用できるので便宜であり、また適切な用具であるので操作の失敗がなく安全である。
【００５８】
なお、嵌入部５１０の突き当たりから受け部５００の終端で外部に抜けるガイドワイヤー通路５２０は、受け部５００を貫通した孔としたが、受け部５００の外側から切り込まれ、嵌入部５１０の突き当たりから受け部５００の終端まで通じるように形成された溝であってもよい。
【００５９】
また、バルーン５０と受け部５００とは、上記のように一体に成形することが好ましいが、受け部５００をバルーン５０とは別体の部材とし、バルーン５０に固着するようにしてもよい。
【図面の簡単な説明】
【００６０】
【図１】本発明の一実施の形態に係るカテーテルキットの構成を示す説明図である。
【図２】図１におけるカテーテルの構成を示す説明図である。
【図３】図１における挿入補助棒の構成を示す説明図である。
【図４】図３の挿入補助棒の平面図である。
【図５】図１におけるカテーテルのバルーンに設けた受け部に挿入棒を挿入して、バルーンを細く伸ばした状態を示す説明図である。
【図６】図５の状態でガイドワイヤーを挿入補助棒に挿入した状態を示す説明図である。
【図７】図６における破線の円で囲んだ部分の拡大図である。
【符号の説明】
【００６１】
Ｉ…注射筒
Ｗ…ガイドワイヤー
１０…カテーテル
１１…カテーテル本体
１５…注入口
２０…導入チューブ
２１…メインルーメン
２５…サブルーメン
２７…先端部
２８…導出口
３０…カテーテルヘッド
３１…流体導通栓部
３２…連通路
３３…蓋
３４…ベルト
５０…バルーン
５１…導出管路
５２…外周部
６０…挿入補助棒
６１…ロッド部
６２…把持頭部
６３…先端部
６５…ガイドワイヤー導入路
５００…受け部
５１０…嵌入部
５１１…嵌入口
５１２…補強部
５２０…ガイドワイヤー通路
【図１】
0005057573.tif 000002
【図２】
0005057573.tif 000003
【図３】
0005057573.tif 000004
【図４】
0005057573.tif 000005
【図５】
0005057573.tif 000006
【図６】
0005057573.tif 000007
【図７】
0005057573.tif 000008